(57)【特許請求の範囲】
【請求項１】
無線送信／受信機（ＷＴＲＵ）における使用方法であって、
ＷＴＲＵが、無線通信ネットワークを介して能力情報メッセージを受信するステップであって、前記能力情報メッセージが、複数の無線通信技術のそれぞれに関して、
前記無線通信技術の種類と、
ＭＢＢ（Ｍａｋｅ−Ｂｅｆｏｒｅ−Ｂｒｅａｋ）ハンドオーバーが前記無線通信技術に対してサポートされているかどうかを示す情報と
を示すステップと、
ＷＴＲＵが、前記能力情報メッセージに基づいて、ハンドオーバーを実行するかどうかを決定するステップと、
を備える方法。
【請求項２】
能力情報要求メッセージを送信するステップをさらに含み、
前記能力情報メッセージは、前記能力情報要求メッセージに対する応答である
ことを特徴とする請求項１に記載の方法。
【請求項３】
前記能力情報要求メッセージは、ＭＩＨ（Ｍｅｄｉａ  Ｉｎｄｅｐｅｎｄｅｎｔ  Ｈａｎｄｏｖｅｒ）能力探索応答メッセージであり、
前記能力情報メッセージは、ＭＩＨ能力探索応答メッセージである
ことを特徴とする請求項２に記載の方法。
【請求項４】
前記能力情報メッセージは、ＭＩＨＦ（Ｍｅｄｉａ  Ｉｎｄｅｐｅｎｄｅｎｔ  Ｈａｎｄｏｖｅｒ  Ｆｕｎｃｔｉｏｎ）から受信する
ことを特徴とする請求項１に記載の方法。
【請求項５】
ＭＢＢハンドオーバーが前記無線通信技術に対してサポートされているかどうかを示す前記情報は、ＭＢＢハンドオーバーが前記無線通信技術に対してサポートされているかどうかを示す１ビットフィールドである
ことを特徴とする請求項１に記載の方法。
【請求項６】
前記ハンドオーバーがＭＢＢハンドオーバーであることを特徴とする請求項１に記載の方法。
【請求項７】
前記無線通信技術は、第１の無線通信技術に基づいており、
前記ハンドオーバーは、前記第１の無線通信技術とは異なる第２の無線通信技術に関する
ことを特徴とする請求項１に記載の方法。
【請求項８】
前記複数の無線通信技術は、IEEE802.3技術、IEEE802.11技術、ＣＤＭＡ２０００技術、ＵＭＴＳ技術、ＣＤＭＡ２０００−ＨＲＰＤ技術、又はＧＳＭ技術、のうちの１又は複数を含む、請求項１に記載の方法。
【請求項９】
無線通信ネットワークを介して能力情報メッセージを受信するように構成された受信機であって、前記能力情報メッセージが、複数の無線通信技術のそれぞれに関して、
前記無線通信技術の種類と、
ＭＢＢ（Ｍａｋｅ−Ｂｅｆｏｒｅ−Ｂｒｅａｋ）ハンドオーバーが前記無線通信技術に対してサポートされているかどうかを示す情報と
を示すことを特徴とする受信機と、
前記能力応答メッセージに基づいて、ハンドオーバーを実行するかどうかを決定するように構成された処理装置と
を備えることを特徴とする無線送信／受信機（ＷＴＲＵ）。
【請求項１０】
能力情報要求メッセージを送信するように構成された送信機をさらに備え、
前記能力情報メッセージは、前記能力情報要求メッセージに対する応答である
ことを特徴とする請求項９に記載の無線送信／受信機。
【請求項１１】
前記能力情報要求メッセージは、ＭＩＨ（Ｍｅｄｉａ  Ｉｎｄｅｐｅｎｄｅｎｔ  Ｈａｎｄｏｖｅｒ）能力探索応答メッセージであり、
前記能力情報メッセージは、ＭＩＨ能力探索応答メッセージである
ことを特徴とする請求項１０に記載の無線送信／受信機。
【請求項１２】
前記能力情報メッセージは、ＭＩＨＦ（Ｍｅｄｉａ  Ｉｎｄｅｐｅｎｄｅｎｔ  Ｈａｎｄｏｖｅｒ  Ｆｕｎｃｔｉｏｎ）から受信する
ことを特徴とする請求項９に記載の無線送信／受信機。
【請求項１３】
ＭＢＢハンドオーバーが前記無線通信技術に対してサポートされているかどうかを示す前記情報は、ＭＢＢハンドオーバーが前記無線通信技術に対してサポートされているかどうかを示す１ビットフィールドである
ことを特徴とする請求項９に記載の無線送信／受信機。
【請求項１４】
無線送信／受信機（ＷＴＲＵ）における使用方法であって、
ＷＴＲＵが、複数の無線通信技術のそれぞれに関して、
前記無線通信技術の種類と、
ＭＢＢ（Ｍａｋｅ−Ｂｅｆｏｒｅ−Ｂｒｅａｋ）ハンドオーバーが前記無線通信技術
に対してサポートされているかどうかを示す情報と
を示すメッセージを生成するステップと、
ＷＴＲＵが、無線通信ネットワークを介して前記メッセージを送信するステップと、
を備える方法。
【請求項１５】
前記メッセージは、ＭＩＨ（Ｍｅｄｉａ  Ｉｎｄｅｐｅｎｄｅｎｔ  Ｈａｎｄｏｖｅｒ）能力探索応答メッセージである
ことを特徴とする請求項１４に記載の方法。
【発明の詳細な説明】
【技術分野】
【０００１】
本発明は、無線システム間におけるハンドオーバー能力探索のための方法および装置に関する。
【背景技術】
【０００２】
ＩＥＥＥ８０２．２１規格は、システム間のハンドオーバー（ｈａｎｄｏｖｅｒ）の実行および管理に役立つ機構および手順を含む。ＩＥＥＥ８０２．２１は特に、システム間のハンドオーバーを支援する能力のある複数の無線システムの通信エンティティ中に存するＭＩＨＦ(ＭＩＨ（Ｍｅｄｉａ  Ｉｎｄｅｐｅｎｄｅｎｔ  Ｈａｎｄｏｖｅｒ：無線システム間におけるハンドオーバー）  Ｆｕｎｃｔｉｏｎ：ＭＩＨ機能）を定義する。例えば図１は、システム間ハンドオーバーを支援できる無線システムについてのネットワーク・アーキテクチャの一例を示す。これらの基本的な技術には、例えば３ＧＰＰ、３ＧＰＰ２、およびＩＥＥＥ  ８Ｏ２．ｘｘ、ＣＤＭＡ（Ｃｏｄｅ  Ｄｉｖｉｓｉｏｎ  Ｍｕｌｔｉｐｌｅ  Ａｃｃｅｓｓ：符号分割多元接続）２０００などのＩＥＥＥ準拠のネットワーク；ＵＭＴＳ（Ｕｎｉｖｅｒｓａｌ  Ｍｏｂｉｌｅ  Ｔｅｌｅｐｈｏｎｅ  Ｓｙｓｔｅｍ：統合移動通信システム）、ＧＳＭ、ＬＴＥ（Ｌｏｎｇ  Ｔｅｒｍ  Ｅｖｏｌｕｔｉｏｎ）、またはまだ開発されていない将来の無線通信システムを含む他の如何なる無線通信システムをも含むことができる。
【０００３】
ＭＩＨ機能は、何れの無線通信システムにおいても実施可能である。従来技術は、ＭＩＨ＿Ｃａｐａｂｉｌｉｔｙ＿Ｄｉｓｃｏｖｅｒ要求／確認（Ｒｅｑｕｅｓｔ／Ｃｏｎｆｉｒｍ）メッセージを含む、いくつかのメッセージの使用に関する拡張を提言している。そのような拡張には、ＭＩＨ能力のあるノードが、ＭＩＨ能力のある他のピアの能力を効率的な方法で探索（ｄｉｓｃｏｖｅｒ）可能なように、メッセージ・パラメーターを修正することが含まれる。
【０００４】
メッセージ・パラメーターを修正することにより、リモート・エンドにおいて支援されるすべてのリンクの種別毎にそのようなメッセージの１つが送出されねばならなかった以前の方法とは対照的に、支援されるリンクの数および種別ならびに特定のリンクの種別に関係するリンク・イベントなどの、ピア・ノードのすべての重要な能力を探索するために単一のＭＩＨ＿Ｃａｐａｂｉｌｉｔｙ＿Ｄｉｓｃｏｖｅｒメッセージを使用することが可能となる。
【０００５】
提案されている構造は、リンク関連の能力および支援されるトランスポートの種別を探索する効率的な方法を提供することができるが、そのような構造はこれらのリンクの他の重要な能力を判定することを容易にするものではない。従って、能力探索における多大な改善が依然として大いに必要とされる。
【発明の概要】
【発明が解決しようとする課題】
【０００６】
第１のＭＩＨＦが、第２のＭＩＨＦからＭＩＨ能力探索要求を受け取り、そして１つまたは複数のパラメーターを含むＭＩＨ能力探索応答メッセージを生成する。次に、第１のＭＩＨＦが、第２のＭＩＨＦにＭＩＨ能力探索応答を送出する。ＭＩＨ能力探索応答中に含まれる情報に基づいて、第１のＭＩＨＦは、第２のＭＩＨＦからハンドオーバー要求メッセージを受け取ることができる。
【０００７】
探索応答メッセージの中に含まれる１つまたは複数のパラメーターは、第１のＭＩＨＦがＭＭＢ（Ｍａｋｅ−Ｂｅｆｏｒｅ−Ｂｒｅａｋ：メイク・ビフォー・ブレーク）ハンドオーバーを支援する特定の技術を表す。１つまたは複数のパラメーターには、ＭＭＢハンドオーバーが支援される技術のリストを含むことができる。例えばそれぞれのビットが特定の形式の技術に対してＭＭＢハンドオーバーが支援されるか否かのブール表現である特定のビット構造を、パラメーターが使用可能である。
【図面の簡単な説明】
【０００８】
【図１】システム間のハンドオーバーを支援するように構成された無線通信システムの一例を示す図である。
【図２】典型的な無線通信システムのブロック図である。
【図３】ＭＩＨ能力を探索する方法のフロー図である。
【図４】ＭＩＨ能力を提供する方法のフロー図である。
【発明を実施するための形態】
【０００９】
これ以後参照するとき、用語「ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）」は、限定的ではなく、ＵＥ（Ｕｓｅｒ  Ｅｑｕｉｐｍｅｎｔ：ユーザー設備）、ＳＴＡ（ｍｏｂｉｌｅ  ＳＴＡｔｉｏｎ：移動端末）、ＭＮ（Ｍｏｂｉｌｅ  Ｎｏｄｅ：移動ノード）、固定型または移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、ＭＩＨ機能、コンピューター、または無線環境において動作する能力のある他の如何なる種別のユーザー・デバイスをも含む。これ以後参照するとき、用語「ＡＰ（Ａｃｃｅｓｓ  Ｐｏｉｎｔ：アクセス・ポイント）」は、限定的ではなく、ノードＢ（Ｎｏｄｅ−Ｂ）、サイト制御装置、基地局（ｂａｓｅ  ｓｔａｔｉｏｎ）、ＰｏＡ（Ｐｏｉｎｔ  ｏｆ  Ａｔｔａｃｈｍｅｎｔ）、ＰｏＳ（Ｐｏｉｎｔ  ｏｆ  Ｓｅｒｖｉｃｅ）、ＭＩＨ機能、または無線環境において動作する能力を備える他の如何なる種別のインターフェイス・デバイスをも含む。
【００１０】
図２は、無線送受信ユニット２０５およびＡＰ２１０を含む無線通信システム２００のブロック図である。ＷＴＲＵ２０５およびＡＰ２１０は、無線通信リンク２１２を介して通信する。
【００１１】
図２に示すようにＷＴＲＵ２０５は、ＭＩＨＦ２１５、プロセッサ２２０、少なくとも１つの送受信機（２２５ａ、２２５ｂ）を含む。プロセッサ２２０は、ＭＩＨＦ２１５および送受信機２２５ａ、２２５ｂのそれぞれに接続される。ＭＩＨＦ２１５は、ＭＩＨ能力探索要求を発生させること、およびＭＩＨ能力応答を処理することを含む無線システム間におけるハンドオーバーに関連する処理を行うように構成される。
【００１２】
また図２に示すようにＡＰ２１０は、ＭＩＨＦ２３０、プロセッサ２３５、少なくとも１つの送受信機（２４０ａ、２４０ｂ）を含む。プロセッサ２３５は、ＭＩＨ機能２１５および送受信機２２５ａ、２２５ｂのそれぞれに接続される。ＭＩＨＦ２３０は、ＭＩＨ能力探索要求を処理すること、およびＭＩＨ能力応答を発生させることを含む無線システム間におけるハンドオーバーに関連する処理を行うように構成される。ＭＩＨＦ２３０は任意に、ネットワーク内のＡＰ２１０の外部に設置されてもよい（不図示）。例えば、ＡＰ２１０は、ＭＩＨＦ２３０を収容できるアクセス・ルーター（不図示）に接続される場合がある。
【００１３】
図３は、ＭＩＨ能力を受信するための方法３００のフロー図を示す。まず、３１０において、第１のＭＩＨＦが第２のＭＩＨＦにＭＩＨ能力探索要求を送信する。方法３００の目的のために、第１のＭＩＨＦはＡＰ２１０内のＭＩＨＦ２３０として配置することができ、または第１のＭＩＨＦは、ＷＴＲＵ２０５内のＭＩＨＦ２１５として配置することができる。第３の代替手段において、ＭＩＨＦは、ネットワークに配置することができる（不図示）。これに応じて、３２０において、第１のＭＩＨＦは第２のＭＩＨＦからＭＩＨ能力探索応答を受け取る。次に、３４０において、第１のＭＩＨＦは、ＭＩＨ能力探索応答に含まれる情報に基づいて、第２のＭＩＨＦにハンドオーバーするか否かを判定する。
【００１４】
ＭＩＨ能力探索応答メッセージは、少なくともＬｉｎｃパラメーターおよびＭＭＢハンドオーバー支援パラメーター（ＭＭＢＨａｎｄｏｖｅｒＳｕｐｐｏｒｔ）を含む。Ｌｉｎｃ要素は、ＭＩＨＦによって支援されるネットワーク形式のリストを含むことになる。ＭＭＢＨａｎｄｏｖｅｒＳｕｐｐｏｒｔパラメーターは、ＭＭＢハンドオーバーが支援される技術のリストを提供する。例えば、ＭＭＢＨａｎｄｏｖｅｒＳｕｐｐｏｒｔパラメーターは、各ビットが特定の形式の技術についてＭＭＢハンドオーバーが支援されるか否かのブール表現であることを特徴とするような特定のビット構造を用いることができる。すべての利用可能なリンクは、ＢＢＭ（Ｂｒｅａｋ−Ｂｅｆｏｒｅ−Ｍａｋｅ）ハンドオーバーをデフォルトで支援し、したがって、そこでは、ＢＢＭハンドオーバー能力に関係する情報は必要でないと想定されることにもまた注意すべきである。
【００１５】
表１は、ＭＭＢＨａｎｄｏｖｅｒＳｕｐｐｏｒｔパラメーターに対して可能なビット構造の一例を示す。しかし、他の多くの構造が可能であり、そして表１がここでの特定のビット構造に本発明の範囲を限定することを決して意図するものではないということを、当業者は認識するであろう。
【００１６】
【表１】
0005266376.tif 000002
【００１７】
表１−提案されたＭＢＢＨａｎｄｏｖｅｒＳｕｐｐｏｒｔパラメーターに対する可能なビット構造の例。
【００１８】
ＭＩＨ探索応答メッセージはまた、支援されるリンク数のパラメーターであるＮｕｍｂｅｒＯｆＳｕｐｐｏｒｔｅｄＬｉｎｋｓを任意に含むことができる。このパラメーターは、ＭＩＨＦが関連付けられた通信エンティティが支援するリンクの数を表し得る。表２は、ＮｕｍｂｅｒＯｆＳｕｐｐｏｒｔｅｄＬｉｎｋｓパラメーターに対する定義の一例を示す。しかし、他の多くの構造が可能であり、そして表２がここでの特定のビット定義またはビット構造に本発明の範囲を限定することを決して意図するものではないということを、当業者は認識するであろう。
【００１９】
【表２】
0005266376.tif 000003
【００２０】
表２−提案されたＮｕｍｂｅｒＯｆＳｕｐｐｏｒｔｅｄＬｉｎｋｓパラメーターの例。
【００２１】
図４は、第１のＭＩＨＦにＭＩＨ能力を提供するための方法４００のフロー図を示す。方法４００の目的のため、第１のＭＩＨＦは、ＡＰ２１０内のＭＩＨＦ２３０として配置することができ、または第１のＭＩＨＦはＷＴＲＵ２０５内のＭＩＨＦ２１５として配置することができる。第３の代替手段においては、ＭＩＨＦがネットワークに配置することができる（不図示）。まず、４１０において、第２のＭＩＨＦが第１のＭＩＨＦからＭＩＨ能力探索要求を受け取る。次に、４２０において、第２のＭＩＨＦは、第２のＭＩＨＦがＭＭＢハンドオーバーを支援する特定の技術を表すＭＭＢｈａｎｄｏｖｅｒＳｕｐｐｏｒｔパラメーターを含むＭＩＨ能力探索応答メッセージを生成する。次に、ステップ４３０において、第２のＭＩＨＦは、第１のＭＩＨＦへＭＩＨ能力探索応答を送出する。第２のＭＩＨＦは、ブロードキャスト、マルチキャスト、またはユニキャストを介してＭＩＨ能力探索応答を任意に送出することができる。４４０において、第２のＭＩＨＦは、ＭＩＨ能力探索応答に含まれる情報に基づいて、第１のＭＩＨＦからハンドオーバー要求メッセージを受け取ることができる。
【００２２】
代替の実施形態においては、利用可能なリンクのすべてがＢＢＭハンドオーバーを支援すると想定されない場合がある。この状況においては、特定の技術に対するＢＢＭハンドオーバーの利用可能性を表す第３のパラメーター（ＢＢＭＨａｎｄｏｖｅｒＳｕｐｐｏｒｔ）が、ＭＩＨ能力探索のメッセージ中に含まれる場合がある。表４は、ＢＢＭＨａｎｄｏｖｅｒＳｕｐｐｏｒｔパラメーターに対する可能なビット構造の一例を示す。しかし、他の多くの構造が可能であり、そして表１がここでの特定のビット構造に本発明の範囲を限定することを決して意図するものではないということを、当業者は認識するであろう。
【００２３】
表３−提案されたＢＢＭＨａｎｄｏｖｅｒＳｕｐｐｏｒｔパラメーターに対する例。
【００２４】
【表３】
0005266376.tif 000004
【００２５】
図３および図４の手順３００、４００において、第１および第２のＭＩＨＦは、ＷＴＲＵ２０５、ＡＰ２１０、またはアクセス・ルーターなど他の一部のネットワーク・エンティティ（不図示）中に配置することができる。図３および図４の手順３００、４００において、ＡＰがＷＴＲＵ２０５のＭＩＨ能力を要求し、そしてＷＴＲＵ２０５が、ＷＴＲＵ２０５のＭＩＨ能力に関連する情報とともにＭＩＨ能力応答メッセージを生成し、ＡＰ２１０へ送信するように任意に実施することもできる。
【００２６】
特徴および要素が特定の組み合わせにて記述されているが、それぞれの特徴または要素は、他の特徴および要素なしに単独で、または他の特徴および要素のあるなしにかかわらず様々な組み合わせで使用することができる。ここに提供される方法またはフロー図は、汎用のコンピューターまたはプロセッサによる実行のための、コンピューターにて読み取り可能な記憶装置媒体にて具現化されるコンピューター・プログラム、ソフトウェア、またはファームウェアにて実施することができる。コンピューターにて読み取り可能な記憶装置媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００２７】
適切なプロセッサの例としては、汎用プロセッサ、特殊用途のプロセッサ、従来のプロセッサ、ＤＳＰ（Ｄｉｇｉｔａｌ  Ｓｉｇｎａｌ  Ｐｒｏｃｅｓｓｏｒ：デジタル信号シグナルプロセッサ）、複数のマイクロプロセッサ、ＤＳＰコアに関連付けられた１つまたは複数のマイクロプロセッサ、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかのタイプのＩＣ（Ｉｎｔｅｇｒａｔｅｄ  Ｃｉｒｃｕｉｔ：集積回路）、および／または状態マシンが含まれる。
【００２８】
ソフトウェアと共同するプロセッサは、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー装置）、端末、基地局、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて用いられる無線周波数送受信機を実施するために使用することができる。第１のＭＩＨＦは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶表示）表示ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、ならびに／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールまたはＵＷＢ（Ｕｌｔｒａ  Ｗｉｄｅ  Ｂａｎｄ：超広帯域無線）モジュールなどのモジュールと連動して使用することができる。
【００２９】
実施形態
１．ＭＩＨ（Ｍｅｄｉａ  Ｉｎｄｅｐｅｎｄｅｎｔ  Ｈａｎｄｏｖｅｒ：無線システム間におけるハンドオーバー）を実行するように構成される送受信機に接続された無線通信システムにおいて使用するためのＭＩＨＦ（Ｍｅｄｉａ  Ｉｎｄｅｐｅｎｄｅｎｔ  Ｈａｎｄｏｖｅｒ  Ｆｕｎｃｔｉｏｎ：無線システム間におけるハンドオーバー機能）。
【００３０】
２．ＭＩＨＦが、無線システム間におけるハンドオーバーメッセージを送受信するように構成されることを特徴とする実施形態１のＭＩＨＦ。
【００３１】
３．ＭＩＨＦが、ＮｕｍｂｅｒＯｆＳｕｐｐｏｒｔｅｄＬｉｎｋｓパラメーターを含む無線システム間におけるハンドオーバーメッセージを送受信するように構成されることを特徴とする前の実施形態の何れか１つのＭＩＨＦ。
【００３２】
４．ＭＩＨＦが、ＭＢＢＨａｎｄｏｖｅｒＳｕｐｐｏｒｔパラメーターを含む無線システム間におけるハンドオーバーメッセージを送受信するように構成されることを特徴とする前の実施形態の何れか１つのＭＩＨＦ。
【００３３】
５．ＭＩＨＦが、ＢＢＭＨａｎｄｏｖｅｒＳｕｐｐｏｒｔパラメーターを含む無線システム間におけるハンドオーバーメッセージを送受信するように構成されることを特徴とする前の実施形態の何れか１つのＭＩＨＦ。
【００３４】
６．ＭＩＨＦが、メイク・ビフォー・ブレーク（ｍａｋｅ  ｂｅｆｏｒｅ  ｂｒｅａｋ）ハンドオーバーを実行するように構成されることを特徴とする前の実施形態の何れか１つのＭＩＨＦ。
【００３５】
７．ＭＩＨＦがブレーク・ビフォー・メイク（ｂｒｅａｋ  ｂｅｆｏｒｅ  ｍａｋｅ）ハンドオーバーを実行するように構成されることを特徴とする前の実施形態の何れか１つのＭＩＨＦ。
【００３６】
８．ＭＩＨＦが、ＭＩＨリンク能力を含むメッセージを送受信するように構成されることを特徴とする前の実施形態の何れか１つのＭＩＨＦ。
【００３７】
９．ＭＩＨＦが、ＭＩＨリンク量を含むメッセージを送受信するように構成されることを特徴とする前の実施形態の何れか１つのＭＩＨＦ。
【００３８】
１０．ＭＩＨＦが、ハンドオーバー支援メッセージ（Ｈａｎｄｏｖｅｒ  Ｓｕｐｐｏｒｔ  Ｍｅｓｓａｇｅ）を送受信するように構成されることを特徴とする前の実施形態の何れか１つのＭＩＨＦ。
【００３９】
１１．ハンドオーバー支援メッセージ（Ｈａｎｄｏｖｅｒ  Ｓｕｐｐｏｒｔ  Ｍｅｓｓａｇｅ）が、複数のプロトコルについてのデバイスハンドオーバー支援に関する情報を具備することを特徴とする前の実施形態の何れか１つのＭＩＨＦ。
【００４０】
１２．ハンドオーバー支援メッセージ（Ｈａｎｄｏｖｅｒ  Ｓｕｐｐｏｒｔ  Ｍｅｓｓａｇｅ）が、複数のプロトコルについてのデバイスハンドオーバー支援を示すように構成される複数のビットを備えることを特徴とする前の実施形態の何れか１つのＭＩＨＦ。
【００４１】
１３．複数のビットについてのハンドオーバー支援メッセージ（Ｈａｎｄｏｖｅｒ  Ｓｕｐｐｏｒｔ  Ｍｅｓｓａｇｅ）が、複数のプロトコルについてのデバイスハンドオーバー支援に関する情報を備えることを特徴とする前の実施形態の何れか１つのＭＩＨＦ。
【００４２】
１４．ハンドオーバー支援メッセージ（Ｈａｎｄｏｖｅｒ  Ｓｕｐｐｏｒｔ  Ｍｅｓｓａｇｅ）が、複数のプロトコルについてのデバイスハンドオーバー支援に関する情報を備えることを特徴とする前の実施形態の何れか１つのＭＩＨＦ。
【００４３】
１５．ＭＩＨが、メイク・ビフォー・ブレーク（ｍａｋｅ  ｂｅｆｏｒｅ  ｂｒｅａｋ）ハンドオーバーであることを特徴とする前の実施形態の何れか１つのＭＩＨＦ。
【００４４】
１６．ＭＩＨが、ブレーク・ビフォー・メイク（ｂｒｅａｋ  ｂｅｆｏｒｅ  ｍａｋｅ）ハンドオーバーであることを特徴とする前の実施形態の何れか１つのＭＩＨＦ。
【００４５】
１７．ＭＩＨＦが、３ＧＰＰシステムにおける使用のために無線送受信ユニット内に配置されることを特徴とする前の実施形態の何れか１つのＭＩＨＦ。
【００４６】
１８．ＭＩＨＦが、３ＧＰＰシステムにおける使用のためにノードＢ中に配置されることを特徴とする前の実施形態の何れか１つのＭＩＨＦ。
【００４７】
１９．ＭＩＨＦが、３ＧＰＰシステムにおける使用のために基地局中に配置されることを特徴とする前の実施形態の何れか１つのＭＩＨＦ。
【００４８】
２０．ＭＩＨＦが、無線ローカル・エリア・ネットワークにおける使用のために移動ユニット中に配置されることを特徴とする前の実施形態の何れか１つのＭＩＨＦ。
【００４９】
２１．ＭＩＨＦが、無線ローカル・エリア・ネットワークにおける使用のためにアクセス・ポイント中に配置されることを特徴とする前の実施形態の何れか１つのＭＩＨＦ。
【００５０】
２２．ＭＩＨＦが、
第１のノードから第２のノードへ情報要求メッセージを送信し、かつ、
第２のノードから第１のノードへ複数のパラメーターを送信するように構成されており、
複数のパラメーターは、無線システム間におけるハンドオーバー情報を表すことを特徴とする前の実施形態の何れか１つのＭＩＨＦ。
【００５１】
２３．無線システム間におけるハンドオーバー情報が、プロトコル支援を表すビット列を備えることを特徴とする実施形態２２のＭＩＨＦ。
【００５２】
２４．パラメーターが、メイク・ビフォー・ブレーク（ｍａｋｅ  ｂｅｆｏｒｅ  ｂｒｅａｋ）ハンドオーバー支援を表すことを特徴とする実施形態２２〜２３の何れか１つのＭＩＨＦ。
【００５３】
２５．パラメーターが、ブレーク・ビフォー・メイク（ｂｒｅａｋ  ｂｅｆｏｒｅ  ｍａｋｅ）ハンドオーバー支援を表すことを特徴とする実施形態２２〜２４の何れか１つのＭＩＨＦ。
【００５４】
２６．パラメーターが、ＮｕｍｂｅｒＯｆＳｕｐｐｏｒｔｅｄＬｉｎｋｓパラメーターを含むことを特徴とする実施形態２２〜２５の何れか１つのＭＩＨＦ。
【００５５】
２７．パラメーターが、ＭＢＢＨａｎｄｏｖｅｒＳｕｐｐｏｒｔパラメーターを含むことを特徴とする実施形態２２〜２６の何れか１つのＭＩＨＦ。
【００５６】
２８．パラメーターが、ＢＢＭＨａｎｄｏｖｅｒＳｕｐｐｏｒｔパラメーターを含むことを特徴とする実施形態２２〜２７の何れか１つのＭＩＨＦ。
【００５７】
２９．前の実施形態の何れか１つのＭＩＨＦとともに使用するために構成される無線送受信ユニット。
【００５８】
３０．前の実施形態の何れか１つのＭＩＨＦとともに使用するために構成されるＡＰ（Ａｃｃｅｓｓ  Ｐｏｉｎｔ：アクセス・ポイント）。
【図１】
0005266376.tif 000005
【図２】
0005266376.tif 000006
【図３】
0005266376.tif 000007
【図４】
0005266376.tif 000008